(57)【特許請求の範囲】
【請求項１】
情報処理装置に、
記憶部に記憶され、複数の表示要素を含むページデータについて、端末装置からのアクセス要求を受け付けると、前記端末装置に設定されたアドレス又はドメインに基づいて、前記端末装置が所在する地域を示す地域情報を特定し、
特定した地域情報に応じて、前記複数の表示要素それぞれについて、表示又は表示内容の隠蔽処理のいずれかが設定され、表示内容の隠蔽処理が設定された前記表示要素に対して表示を隠蔽する画像にて隠蔽処理が行われ、前記画像の上に表示内容が隠蔽される理由を表示するページデータを前記端末装置に送信する
処理を実行させるプログラム。
【請求項２】
複数の地域を区分した区分に基づいて前記複数の表示要素それぞれについて、表示又は表示内容に隠蔽処理が設定されたページデータを前記端末装置に送信する
処理を実行させる請求項１に記載のプログラム。
【請求項３】
前記表示要素の内容に応じて前記表示要素を区分した内容区分に基づいて前記複数の表示要素それぞれについて、表示又は表示内容に隠蔽処理が設定されたページデータを前記端末装置に送信する
処理を実行させる請求項１又は請求項２のいずれか１つに記載のプログラム。
【請求項４】
前記端末装置が所在する地域と原画面を表示するアプリケーションの実行を許可した地域を示す許可地域とが一致するか否かを判定し、
前記端末装置が所在する地域と前記原画面を表示するアプリケーションの実行を許可した地域を示す許可地域とが一致しないと判定した場合、前記複数の表示要素それぞれについて、表示又は表示内容に隠蔽処理が設定されたページデータを前記端末装置に送信する
処理を実行させる請求項１から請求項３のいずれか１つに記載のプログラム。
【請求項５】
記憶部に記憶された複数の表示要素を含むページデータについて、端末装置からのアクセス要求を受け付けると、前記端末装置に設定されたアドレス又はドメインに基づいて、前記端末装置が所在する地域を示す地域情報を特定する特定部と、
特定した地域情報に応じて、前記複数の表示要素それぞれについて、表示又は表示内容の隠蔽処理のいずれかが設定され、表示内容の隠蔽処理が設定された前記表示要素に対して表示を隠蔽する画像にて隠蔽処理が行われ、前記画像の上に表示内容が隠蔽される理由を表示するページデータを前記端末装置に送信する送信部と
を備える情報処理装置。
【請求項６】
記憶部に記憶された複数の表示要素を含むページデータについて、端末装置からのアクセス要求を受け付けると、前記端末装置に設定されたアドレス又はドメインに基づいて、前記端末装置が所在する地域を示す地域情報を特定し、
特定した地域情報に応じて、前記複数の表示要素それぞれについて、表示又は表示内容の隠蔽処理のいずれかが設定され、表示内容の隠蔽処理が設定された前記表示要素に対して表示を隠蔽する画像にて隠蔽処理が行われ、前記画像の上に表示内容が隠蔽される理由を表示するページデータを前記端末装置に送信する
情報処理方法。
【発明の詳細な説明】
【技術分野】
【０００１】
本発明は、情報を隠蔽するプログラム等に関する。
【背景技術】
【０００２】
従来、アクセスされた地域に基づいてファイルの送信を制限する技術が知られている（例えば特許文献１）。
【先行技術文献】
【特許文献】
【０００３】
【特許文献１】特開２００１−１８８７３２号公報
【発明の概要】
【発明が解決しようとする課題】
【０００４】
しかし、特許文献１に開示された技術では、地域毎に送信するファイルを変更しているため、ファイルを制御する手間がかかることで効率的に情報を隠蔽することが難しいという問題がある。
【０００５】
一つの側面では、地域に応じた情報の隠蔽処理の簡便化を図ることを目的とする。
【課題を解決するための手段】
【０００６】
一態様のプログラムは、情報処理装置に、記憶部に記憶され、複数の表示要素を含むページデータについて、端末装置からのアクセス要求を受け付けると、前記端末装置に設定されたアドレス又はドメインに基づいて、前記端末装置が所在する地域を示す地域情報を特定し、特定した地域情報に応じて、前記複数の表示要素それぞれについて、表示又は表示内容の隠蔽処理のいずれかが設定され、表示内容の隠蔽処理が設定された前記表示要素に対して表示を隠蔽する画像にて隠蔽処理が行われ、前記画像の上に表示内容が隠蔽される理由を表示するページデータを前記端末装置に送信する処理を実行させる。
【発明の効果】
【０００７】
一側面によれば、地域に応じた情報の隠蔽処理の簡便化を図ることができる。
【図面の簡単な説明】
【０００８】
【図１】情報処理システムの概要を示す模式図である。
【図２】端末装置のハードウェア群を示すブロック図である。
【図３】サーバのハードウェア群を示すブロック図である。
【図４】ページ情報ＤＢに格納されているデータの一例を示す図である。
【図５】ユーザ情報ＤＢに格納されているデータの一例を示す図である。
【図６】アプリケーションを選択するためのアプリ選択画面の一例を示す説明図である。
【図７】ページの一例を示す説明図である。
【図８】本実施形態における情報処理システムの処理手順を示したフローチャートである。
【図９】本実施形態における情報処理システムの処理手順を示したフローチャートである。
【図１０】本実施形態における情報処理システムの処理手順を示したフローチャートである。
【図１１】本実施形態における情報処理システムの処理手順を示したフローチャートである。
【図１２】サーバのハードウェア群を示すブロック図である。
【図１３】地域情報ＤＢに格納されているデータの一例を示す図である。
【図１４】本実施形態における表示処理の処理手順を示したフローチャートである。
【図１５】本実施形態における表示処理の処理手順を示したフローチャートである。
【図１６】ページ情報ＤＢに格納されているデータの一例を示す図である。
【図１７】本実施形態における表示処理の処理手順を示したフローチャートである。
【図１８】ページ情報ＤＢに格納されているデータの一例を示す図である。
【図１９】ユーザ情報ＤＢに格納されているデータの一例を示す図である。
【図２０】本実施形態における表示処理の処理手順を示したフローチャートである。
【図２１】サーバのハードウェア群を示すブロック図である。
【図２２】サーバの機能ブロック図である。
【発明を実施するための形態】
【０００９】
実施の形態１
以下本実施の形態を、図面を参照して説明する。図１は情報処理システムの概要を示す模式図である。図１に示す情報処理システムは、端末装置１Ａ、１Ｂ、１Ｃ…（以下、場合により端末装置１で代表する）と、サーバ（以下、場合により情報処理装置とする）２とを備える。端末装置１及びサーバ２はインターネット、ＬＡＮ(Local Area Network)または携帯電話網等の通信網Ｎにより相互に接続されている。端末装置１は通信網Ｎを介して、サーバ２との間で情報の送受信を行っている。
【００１０】
以下では情報処理システムの概要を説明する。端末装置１は端末装置１に設定されたアドレス又はドメイン等を出力する装置であり、例えばパーソナルコンピュータ、スマートフォン、ＰＤＡ（Personal Digital Assistant）又は携帯電話等である。アドレスとは例えばＩＰアドレスである。なお、アドレスは例えばＭＡＣ（Media Access Control）アドレスであってもよい。ドメインとは例えばメールアドレスのドメインである。本実施形態における端末装置１はパーソナルコンピュータであるとして説明する。
【００１１】
サーバ２は端末装置１へ出力する情報を管理するコンピュータであり、例えばサーバコンピュータ又はプラットフォーム等である。サーバ２は例えば、端末装置１からアドレス又はドメインを受信した場合、アドレス又はドメインに基づいてアクセス地域を特定する。
アクセス地域とは端末装置１が所在する地域である。サーバ２はアクセス地域に基づいて基本ページに隠蔽処理を行うことでページデータを生成する。基本ページ（以下、場合により原画面とする）とはアプリケーションが通常表示する画面である。ページデータとはＧＵＩ（Glaphic User Interface）又はＷＵＩ（Web User Interface）等で機能する画面を表示するためのデータであり、複数のオブジェクト（以下、場合により表示要素とする）を含んでいる。オブジェクトとは例えば、ダウンロードリンク、テキストボックス又はチェックボックス等である。隠蔽処理とはオブジェクトの表示又は表示内容の隠蔽を行う処理である。具体的な隠蔽処理は例えば、オブジェクトの表示の隠蔽をする隠蔽処理画像でオブジェクトを覆う処理である。隠蔽処理画像とは例えば、黒色の矩形領域等であり、場合により、表示が禁止される旨のメッセージ等が含まれている。メッセージは例えば「本コンテンツは契約国からのアクセスのみに限定させて頂いております。ご利用の環境からは安全保障輸出管理上ご覧いただくことができません。あしからずご了承ください。」等である。また隠蔽処理はダウンロードリンクに対応づけられたファイルを隠蔽する処理を行う。すなわち、サーバ２はダウンロードリンクにリンクされたファイルを隠蔽処理画像で覆う。
【００１２】
サーバ２は端末装置１へ隠蔽処理を行ったページデータを送信する。端末装置１はサーバ２からページデータを受信し、受信したページデータに基づいて隠蔽処理を行ったページを表示する。
【００１３】
以下では情報処理システムの詳細を説明する。図２は端末装置１のハードウェア群を示すブロック図である。図２に示す端末装置１は、ＣＰＵ(Central Processing Unit)１１、記憶部１２、ＲＡＭ１３、入力部１４、表示部１５及び通信部１６を備える。
【００１４】
ＣＰＵ１１は、バスを介してハードウェア各部と接続されている。ＣＰＵ１１は例えば一もしくは複数のＣＰＵ又はマルチコアＣＰＵ等を備える。ＣＰＵ１１は、記憶部１２に記憶されたプログラム１２Ｐに従いハードウェアの各部を制御する。
【００１５】
記憶部１２は例えばハードディスクまたは大容量メモリ等である。記憶部１２にはＣＰＵ１１が処理を行う際に必要とする種々のデータ、端末装置１に設定されたアドレス１２１、ドメイン１２２及びプログラム１２Ｐを格納する。
【００１６】
ＲＡＭ１３は例えばＳＲＡＭ（Static Random Access Memory）、ＤＲＡＭ（Dynamic Random Access Memory）、フラッシュメモリ等である。ＲＡＭ１３は、記憶部としても機能し、ＣＰＵ１１による各種プログラムの実行時に発生する種々のデータを一時的に記憶する。
【００１７】
入力部１４はマウス又はキーボード等の入力デバイスであり、受け付けた操作情報をＣＰＵ１１へ送信する。表示部１５はＣＰＵ１１から送信された画像データを送信する。表示部１５は例えば液晶画面である。通信部１６は、例えば無線ＬＡＮカード又は携帯電話用通信モジュール等であり、通信網Ｎを介して各種情報をサーバ２との間で送受信する。
【００１８】
図３はサーバ２のハードウェア群を示すブロック図である。図３に示すサーバ２は、ＣＰＵ２１、記憶部２２、ＲＡＭ２３、入力部２４、表示部２５及び通信部２６を備える。サーバ２は、ＣＰＵ２１、ＲＡＭ２３、入力部２４及び表示部２５の作用及び動作は、端末装置１のＣＰＵ１１、ＲＡＭ１３、入力部１４及び表示部１５の作用及び動作と同様であるため、簡潔のため記載を省略する。
【００１９】
記憶部２２は例えばハードディスクまたは大容量メモリ等である。記憶部２２にはＣＰＵ２１が処理を行う際に必要とする種々のデータ、ページ情報ＤＢ２２１、ユーザ情報ＤＢ２２２及びプログラム２２Ｐを格納する。また記憶部２２には輸出制限の無い所定の地域が記憶されている。所定の地域とは例えばＡ国である。
【００２０】
通信部２６は、例えば無線ＬＡＮカード又は携帯電話用通信モジュール等であり、通信網Ｎを介して各種情報を端末装置１との間で送受信する。
【００２１】
図４はページ情報ＤＢ２２１に格納されているデータの一例を示す図である。ページ情報ＤＢ２２１は後述するページ４を構成するためのページデータを記憶するデータベースである。ページ情報ＤＢ２２１はライセンスＩＤ列、オブジェクトＩＤ列及び公開可否列等を備える。ライセンスＩＤ列にはユーザが契約したアプリケーションのライセンスを識別するためのライセンスＩＤが記憶される。オブジェクトＩＤ列には基本ページに含まれるオブジェクトを識別するためのオブジェクトＩＤが記憶される。公開可否列にはオブジェクトの公開の可否を示す公開可否情報が記憶される。公開可否列は、例えば「○」又は「×」が記憶される。「○」とは公開可能であることを示す。「×」とは公開不可であることを示す。ライセンスＩＤ列、オブジェクトＩＤ列及び公開可否列の情報は予めサーバ２の使用者により入力部２４で入力され、ＣＰＵ２１は入力された各情報をページ情報ＤＢ２２１に記憶している。なお、各列の情報は互いに対応づけられている。
【００２２】
図５はユーザ情報ＤＢ２２２に格納されているデータの一例を示す図である。ユーザ情報ＤＢ２２２はユーザに関するユーザ情報を記憶するデータベースである。ユーザ情報ＤＢ２２２はユーザＩＤ列、許可地域列及びライセンスＩＤ列等を備える。ユーザＩＤ列には端末装置１に係るユーザを識別するためのユーザ識別情報（以下、ユーザＩＤとする）が記憶される。許可地域列には基本ページを表示するアプリケーションの実行を許可した地域を示す許可地域が記憶される。具体的な許可地域とは例えばアプリケーションを販売した国又は端末装置１に係るユーザが契約した国等である。なお、許可地域は国に限られず、市町村又はＥＵ等の広域的地域を含む。ライセンスＩＤ列にはライセンスＩＤが記憶される。ユーザ情報ＤＢ２２２の各列における情報の記憶方法は以下の通りである。ユーザＩＤ列、許可地域列及びライセンスＩＤ列の情報は、予めサーバ２の使用者により入力部２４で入力され、ＣＰＵ２１は入力された各情報をユーザ情報ＤＢ２２２に記憶している。
【００２３】
図６はアプリケーションを選択するためのアプリ選択画面３の一例を示す説明図である。アプリ選択画面３は上部にユーザＩＤを表示するユーザＩＤ欄３１と、ユーザＩＤ欄３１の下部に左から右へ順に設けられたアプリ欄３２Ａ及び３２Ｂとを備える。以下、場合によりアプリ欄３２Ａ又は３２Ｂはアプリ欄３２とする。
【００２４】
以下、情報処理システムの動作を説明する。ＣＰＵ１１は入力部１４でユーザＩＤ「０００１」の入力を受け付ける。ＣＰＵ１１は記憶部１２からアドレス１２１又はドメイン１２２を取得する。ＣＰＵ１１は受け付けたユーザＩＤ「０００１」、アドレス１２１又はドメイン１２２及びアクセス要求を通信部１６でサーバ２へ送信する。ＣＰＵ２１はユーザＩＤ「０００１」、アドレス１２１又はドメイン１２２及びアクセス要求を通信部２６で端末装置１から受信する。
【００２５】
ＣＰＵ２１はアドレス１２１又はドメイン１２２に基づいてアクセス地域「Ｂ国」を特定する。アドレス１２１の場合は以下の処理を行う。記憶部１２又は外部に存在するデータベースがＩＰアドレスとアクセス地域との対応関係を記憶している。ＣＰＵ２１は記憶部１２又は通信部１６からデータベースを参照することで、ＩＰアドレス１２１に対応するアクセス地域を特定する。また、ドメイン１２２の場合、ＣＰＵ１１はドメイン１２２に含まれる「.jp」等の国名からアクセス地域を特定する。ＣＰＵ２１はユーザ情報ＤＢ２２２を参照し、ユーザＩＤ「０００１」に対応するライセンスＩＤ「０１」及び「０２」を特定する。
【００２６】
ＣＰＵ２１はライセンスＩＤ「０１」及び「０２」に基づいてアプリ選択画面３を生成する。ＣＰＵ２１はアプリ選択画面３を通信部２６で端末装置１へ送信する。ＣＰＵ１１はアプリ選択画面３を通信部１６でサーバ２から受信する。ＣＰＵ１１はアプリ選択画面３を表示部１５に表示する。ＣＰＵ１１はアプリ欄３２Ａ又は３２Ｂの選択を受け付ける。ユーザがアプリ欄３２Ａを入力部１４で選択した場合、ＣＰＵ１１はアプリ欄３２Ａに対応するライセンスＩＤ「０１」を通信部１６でサーバ２へ送信する。ＣＰＵ２１はライセンスＩＤ「０１」を通信部２６で端末装置１から受信し、次の処理に移る。
【００２７】
図７はページ４の一例を示す説明図である。図７Ａは隠蔽処理を行っていないページ４の一例を示す説明図である。図７Ｂは隠蔽処理を行ったページ４の一例を示す説明図である。図７Ａに示すページ４はテキストボックス４１、４２及び４３と、ダウンロードリンク４４と、ドキュメント４５とを備える。テキストボックス４１、４２及び４３はメッセージを表示するためのテキストボックスである。ダウンロードリンク４４はファイルをダウンロードするためのリンクである。ドキュメント４５はダウンロードリンク４４を入力部１４のマウスでクリックした際に表示されるドキュメントである。
【００２８】
図７Ｂに示すページ４はテキストボックス４１、４２及び４３と、隠蔽処理画像４３１と、ダウンロードリンク４４と、隠蔽処理画像４４１と、ドキュメント４５と、隠蔽処理画像４５１とを備える。隠蔽処理画像４３１はテキストボックス４３の表示を隠蔽する画像である。隠蔽処理画像４４１はダウンロードリンク４４の表示を隠蔽する画像である。隠蔽処理画像４５１はドキュメント４５の表示を隠蔽する画像である。
【００２９】
以下、ページ４の生成方法を説明する。ＣＰＵ２１はページ情報ＤＢ２２１を参照し、受信したライセンスＩＤ「０１」に基づいて基本ページを特定する。ＣＰＵ２１は特定した基本ページ内のオブジェクトＩＤ「００１」に対応するテキストボックス４１を特定する。ＣＰＵ２１はユーザ情報ＤＢ２２２を参照し、アクセス地域「Ｂ国」と許可地域「Ａ国」とが一致しないと判定する。ＣＰＵ２１はアクセス地域が所定の地域であるか否かを判定する。具体的にはＣＰＵ２１は記憶部１２に記憶された所定の地域を読み出すことで、アクセス地域が所定の地域であるか否かを判定する。ＣＰＵ２１はアクセス地域「Ｂ国」が所定の地域でないと判定する。ＣＰＵ２１はページ情報ＤＢ２２１を参照し、公開可否情報が「○」であるため、テキストボックス４１に隠蔽処理画像を設定せず、次のオブジェクトＩＤ「００２」を特定する。
【００３０】
ＣＰＵ２１は特定した基本ページ内のオブジェクトＩＤ「００２」に対応するテキストボックス４２を特定する。ＣＰＵ２１はユーザ情報ＤＢ２２２を参照し、アクセス地域「Ｂ国」と許可地域「Ａ国」とが一致しないと判定する。ＣＰＵ２１はアクセス地域「Ｂ国」が所定の地域でないと判定する。ＣＰＵ２１はページ情報ＤＢ２２１を参照し、公開可否情報が「○」であるため、テキストボックス４２に隠蔽処理画像を設定せず、次のオブジェクトＩＤ「００３」を特定する。
【００３１】
ＣＰＵ２１は特定した基本ページ内のオブジェクトＩＤ「００３」に対応するテキストボックス４３を特定する。ＣＰＵ２１はユーザ情報ＤＢ２２２を参照し、アクセス地域「Ｂ国」と許可地域「Ａ国」とが一致しないと判定する。ＣＰＵ２１はアクセス地域が所定の地域でないと判定する。ＣＰＵ２１はページ情報ＤＢ２２１を参照し、公開可否情報が「×」であるため、テキストボックス４３を覆うように隠蔽処理画像４３１を設定し、次のオブジェクトＩＤ「００４」を特定する。
【００３２】
ＣＰＵ２１は特定した基本ページ内のオブジェクトＩＤ「００４」に対応するダウンロードリンク４４を特定する。ＣＰＵ２１はユーザ情報ＤＢ２２２を参照し、アクセス地域「Ｂ国」と許可地域「Ａ国」とが一致しないと判定する。ＣＰＵ２１はアクセス地域が所定の地域でないと判定する。ＣＰＵ２１はページ情報ＤＢ２２１を参照し、公開可否情報が「×」であるため、ダウンロードリンク４４を覆うように隠蔽処理画像４４１を設定する。また、ダウンロードリンク４４がリンクされたドキュメント４５に対して隠蔽処理を行う。すなわち、ＣＰＵ１１はドキュメント４５の表示内容を隠蔽処理画像４５１で覆う。
【００３３】
ＣＰＵ２１は全てのオブジェクトを特定したと判定する。ＣＰＵ２１はテキストボックス４３及びダウンロードリンク４４に隠蔽処理を行ったページデータを生成する。ＣＰＵ２１はページデータを通信部２６で端末装置１へ送信する。ＣＰＵ１１はページデータを通信部１６でサーバ２から受信する。ＣＰＵ１１はページデータに基づいてページ４を表示部１５に表示する。
【００３４】
図８〜１１は本実施形態における情報処理システムの処理手順を示したフローチャートである。ＣＰＵ１１はユーザＩＤの入力を受け付ける（ステップＳ１０）。ＣＰＵ１１は記憶部１２に記憶されたアドレス１２１又はドメイン１２２を取得する（ステップＳ１１）。ＣＰＵ１１はユーザＩＤ、アドレス１２１又はドメイン１２２及びアクセス要求を通信部１６でサーバ２へ送信する（ステップＳ１２）。ＣＰＵ２１はユーザＩＤ、アドレス１２１又はドメイン１２２及びアクセス要求を通信部２６で端末装置１から受信する（ステップＳ１３）。すなわち、ＣＰＵ２１はユーザＩＤ、アドレス１２１又はドメイン１２２を通信部２６で端末装置１から受信し、アクセス要求を受け付ける。
【００３５】
ＣＰＵ２１はアドレス１２１又はドメイン１２２に基づいてアクセス地域を特定する（ステップＳ１４）。ＣＰＵ２１はユーザ情報ＤＢ２２２を参照し、ユーザＩＤに対応するライセンスＩＤを特定する（ステップＳ１５）。
【００３６】
ＣＰＵ２１はライセンスＩＤに基づいてアプリ選択画面３を生成する（ステップＳ１６）。ＣＰＵ２１はアプリ選択画面３を通信部２６で端末装置１へ送信する（ステップＳ１７）。ＣＰＵ１１はアプリ選択画面３を通信部１６でサーバ２から受信する（ステップＳ１８）。ＣＰＵ１１はアプリ選択画面３を表示部１５に表示する（ステップＳ１９）。ＣＰＵ１１はライセンスＩＤの選択を受け付ける（ステップＳ２０）。ＣＰＵ１１は受け付けたライセンスＩＤを通信部１６でサーバ２へ送信する（ステップＳ２１）。ＣＰＵ２１はライセンスＩＤを通信部２６で端末装置１から受信する（ステップＳ２２）。
【００３７】
ＣＰＵ２１はページ情報ＤＢ２２１を参照し、受信したライセンスＩＤに基づいて基本ページを特定する（ステップＳ２３）。ＣＰＵ２１は特定した基本ページ内の一のオブジェクトを特定する（ステップＳ２４）。ＣＰＵ２１はアクセス地域と許可地域とが一致したか否かを判定する（ステップＳ２５）。ＣＰＵ２１はアクセス地域と許可地域とが一致したと判定した場合（ステップＳ２５：ＹＥＳ）、処理をステップＳ２９に移す。
【００３８】
ＣＰＵ２１はアクセス地域と許可地域とが一致しなかったと判定した場合（ステップＳ２５：ＮＯ）、アクセス地域が所定の地域であるか否かを判定する（ステップＳ２６）。
【００３９】
ＣＰＵ２１はアクセス地域が所定の地域であると判定した場合（ステップＳ２６：ＹＥＳ）、処理をステップＳ２９に移す。ＣＰＵ２１はアクセス地域が所定の地域でないと判定した場合（ステップＳ２６：ＮＯ）、ページ情報ＤＢ２２１を参照し、公開可否情報に基づいてオブジェクトが公開可能であるか否かを判定する（ステップＳ２７）。ＣＰＵ２１は公開可否情報に基づいてオブジェクトが公開可能であると判定した場合（ステップＳ２７：ＹＥＳ）、処理をステップＳ２９に移す。ＣＰＵ２１は公開可否情報に基づいてオブジェクトが公開可能でないと判定した場合（ステップＳ２７：ＮＯ）、基本ページのオブジェクトに隠蔽処理を行う（ステップＳ２８）。
【００４０】
ＣＰＵ２１は全てのオブジェクトを特定したか否かを判定する（ステップＳ２９）。ＣＰＵ２１は全てのオブジェクトを特定しなかったと判定した場合（ステップＳ２９：ＮＯ）、処理をステップＳ２４に移し、他のオブジェクトを特定し、処理を繰り返す。ＣＰＵ２１は全てのオブジェクトを特定したと判定した場合（ステップＳ２９：ＹＥＳ）、ページデータを生成する（ステップＳ３０）。具体的にはＣＰＵ２１は隠蔽処理を行った場合、基本画面のオブジェクトに隠蔽処理を行ったページデータを生成する。またＣＰＵ２１は隠蔽処理を行わなかった場合、基本画面のままのページデータを生成する。
【００４１】
ＣＰＵ２１はページデータを通信部２６で端末装置１へ送信する（ステップＳ３１）。ＣＰＵ１１はページデータを通信部１６でサーバ２から受信する（ステップＳ３２）。ＣＰＵ１１はページデータに基づいてページ４を表示部１５に表示し（ステップＳ３３）、処理を終了する。
【００４２】
なお、本実施形態ではアドレス１２１又はドメイン１２２でアクセス地域を特定したが、端末装置１を識別するための端末識別情報等でアクセス地域を特定してもよい。あるいはＣＰＵ２１は入力部１４でアクセス地域の入力を受け付け、受け付けたアクセス地域を直接サーバ２へ送信してもよい。また記憶部１２に予め記憶されたアクセス地域を直接サーバ２へ送信してもよい。また本実施形態ではオブジェクトを識別するためにオブジェクトＩＤを用いたが、基本ページ上におけるオブジェクトの位置を示すオブジェクト位置を用いてもよい。
【００４３】
また本実施形態ではオブジェクト毎に隠蔽処理が設定されたが、画像又は文字列毎に隠蔽処理が設定されてもよい。
【００４４】
一側面によれば、ＣＰＵ２１は一の基本ページに隠蔽処理画像で覆うことで地域毎に基本ページを記憶している場合に比べて処理が簡便になり、迅速な処理を行うことができる。このことにより効率的に情報を隠蔽することができる。
【００４５】
一側面によれば、ＣＰＵ２１はアクセス地域と許可地域とが一致したか否かを判定することでアプリケーションの実行を許可した地域毎に管理ができる。
【００４６】
一側面によれば、公開可否情報に基づいて情報の公開を行うことができる。
【００４７】
実施の形態２
実施の形態２はアクセス地域への輸出制限に応じて複数のアクセス地域を区分した区分に基づいてオブジェクトの公開の可否を判定する実施の形態に関する。図１２はサーバ２のハードウェア群を示すブロック図である。図１２に示すように、記憶部２２はさらに地域情報ＤＢ２２３を備える。以下、特に説明する構成、作用以外の構成及び作用は実施の形態１と同等であり、簡潔のため記載を省略する。
【００４８】
図１３は地域情報ＤＢ２２３に格納されているデータの一例を示す図である。地域情報ＤＢ２２３はアクセス地域に関するデータを記憶するデータベースである。地域情報ＤＢ２２３は区分列及び地域列等を備える。区分列には区分が記憶される。例えば区分Ａは輸出制限の無い地域を含む区分である。区分Ａに含まれる地域は例えばドイツである。区分Ｂは区分Ａ、Ｃ及びＤ以外の地域を含む区分である。区分Ｂに含まれる地域は例えばインドである。区分Ｃは輸出制限がある地域を含む区分である。区分Ｃに含まれる地域は例えば南アフリカである。区分Ｄは例えば、輸出品の拡散防止の制裁を受けた地域を含む区分である。区分Ｄに含まれる地域は例えば北朝鮮である。地域列には地域名が記憶される。なお、地域名は本実施形態では国名になっているが、これに限られるものではなく、市町村又はヨーロッパ等の広域的地域も含む。区分列及び地域列は予めサーバ２の使用者により入力部２４で地域情報ＤＢ２２３に記憶されている。
【００４９】
以下、サーバ２の動作を説明する。ＣＰＵ２１はアクセス地域「Ｂ国」を特定した後、地域情報ＤＢ２２３を参照し、Ｂ国に対応する区分Ｂを特定する。
【００５０】
ＣＰＵ２１は区分Ｂが所定の第１区分であるか否かを判定する。所定の第１区分とは例えば区分Ｄである。ＣＰＵ２１は区分Ｂが所定の第１区分でないと判定する。ＣＰＵ２１は実施の形態１と同様の動作を行った後、アプリ選択画面３を通信部２６で端末装置１へ送信する。
【００５１】
以下、ページ４の生成方法を説明する。ＣＰＵ２１はテキストボックス４１を特定する。ＣＰＵ２１はユーザ情報ＤＢ２２２を参照し、アクセス地域「Ｂ国」と許可地域「Ａ国」とが一致しないと判定する。ＣＰＵ２１は区分が所定の第２区分であるか否かを判定する。所定の第２区分とは例えば区分Ｃである。ＣＰＵ２１は区分Ｂが所定の第２区分でないと判定する。ＣＰＵ２１は実施の形態１と同様の処理を行った後、テキストボックス４１に隠蔽処理画像を設定せず、次のオブジェクトＩＤ「００２」を特定する。
【００５２】
ＣＰＵ２１はテキストボックス４２を特定する。ＣＰＵ２１はユーザ情報ＤＢ２２２を参照し、アクセス地域「Ｂ国」と許可地域「Ａ国」とが一致しないと判定する。ＣＰＵ２１は区分Ｂが所定の第２区分でないと判定する。ＣＰＵ２１は実施の形態１と同様の処理を行った後、テキストボックス４２に隠蔽処理画像を設定せず、次のオブジェクトＩＤ「００３」を特定する。
【００５３】
ＣＰＵ２１はテキストボックス４３を特定する。ＣＰＵ２１はユーザ情報ＤＢ２２２を参照し、アクセス地域「Ｂ国」と許可地域「Ａ国」とが一致しないと判定する。ＣＰＵ２１は区分Ｂが所定の第２区分でないと判定する。ＣＰＵ２１は実施の形態１と同様の処理を行った後、テキストボックス４３を覆うように隠蔽処理画像４３１を設定し、次のオブジェクトＩＤ「００４」を特定する。
【００５４】
ＣＰＵ２１はダウンロードリンク４４を特定する。ＣＰＵ２１はユーザ情報ＤＢ２２２を参照し、アクセス地域「Ｂ国」と許可地域「Ａ国」とが一致しないと判定する。ＣＰＵ２１は区分Ｂが所定の第２区分でないと判定する。ＣＰＵ２１は実施の形態１と同様の処理を行った後、ダウンロードリンク４４を覆うように隠蔽処理画像４４１を設定する。また、ダウンロードリンク４４がリンクされたドキュメント４５に対して隠蔽処理を行う。以下、実施の形態１と同様の動作であり、簡潔のため記載を省略する。
【００５５】
図１４〜１５は本実施形態における表示処理の処理手順を示したフローチャートである。ステップＳ１０〜Ｓ３３の処理は上述の実施の形態１に係る情報処理システムと同様であるので、簡潔のため説明を省略する。ＣＰＵ２１はステップＳ１４の処理を終了した後、地域情報ＤＢ２２３を参照し、アクセス地域に対応する区分を特定する（ステップＳ４０）。
【００５６】
ＣＰＵ２１は区分が所定の第１区分であるか否かを判定する（ステップＳ４１）。所定の第１区分とは例えば区分Ｄである。ＣＰＵ２１は区分が所定の第１区分であると判定した場合（ステップＳ４１：ＹＥＳ）、処理を終了する。ＣＰＵ２１は区分が所定の第１区分でないと判定した場合（ステップＳ４１：ＮＯ）、処理をステップＳ１５に移す。
【００５７】
ＣＰＵ２１はステップＳ２５がＮＯであった場合、区分が所定の第２区分であるか否かを判定する（ステップＳ４２）。所定の第２区分とは例えば区分Ｃである。ＣＰＵ２１は区分が所定の第２区分であると判定した場合（ステップＳ４２：ＹＥＳ）、処理をステップＳ２８に移す。ＣＰＵ２１は区分が所定の第２区分でないと判定した場合（ステップＳ４２：ＮＯ）、処理をステップＳ２６に移す。
【００５８】
一側面によれば、区分に基づいて隠蔽処理を行う。このことにより区分に含まれる複数の地域をまとめて地域情報ＤＢ２２３に記憶できるため、さらに効率的に情報を隠蔽することができる。
【００５９】
一側面によれば、アクセス地域への輸出制限に応じて区分されるため、輸出制限されている地域の度合いに応じて情報を制限することができる。
【００６０】
実施の形態３
実施の形態３はオブジェクト毎に設定されたセキュリティレベルに基づいてオブジェクトの公開の可否を判定する実施の形態に関する。セキュリティレベルとはオブジェクトの内容に応じてオブジェクトを区分した内容区分である。セキュリティレベル１のオブジェクトは例えば、技術情報をダウンロードするダウンロードリンクである。セキュリティレベル２のオブジェクトは例えば技術情報を表示するテキストボックスである。セキュリティレベル３のオブジェクトは例えば、画面説明を行うテキストボックスである。セキュリティレベル４のオブジェクトは例えば管理者用のログインボタンである。以下、特に説明する構成、作用以外の構成及び作用は実施の形態２と同等であり、簡潔のため記載を省略する。
【００６１】
図１６はページ情報ＤＢ２２１に格納されているデータの一例を示す図である。ページ情報ＤＢ２２１はさらにセキュリティレベル列を備える。セキュリティレベル列にはセキュリティレベルが記憶される。セキュリティレベル列の情報は予めサーバ２の使用者により入力部２４で入力され、ＣＰＵ２１は入力された情報をページ情報ＤＢ２２１に記憶している。
【００６２】
以下、ページ４の生成方法を説明する。ＣＰＵ２１は特定した基本ページ内のオブジェクトＩＤ「００１」に対応するテキストボックス４１を特定する。ＣＰＵ２１は実施の形態１と同様の処理を行った後、テキストボックス４１のセキュリティレベルが所定の第１セキュリティレベルであるか否かを判定する。所定の第１セキュリティレベルとは例えば、レベル３である。ＣＰＵ２１はテキストボックス４１のセキュリティレベルがレベル３であるため、テキストボックス４１のセキュリティレベルが所定の第１セキュリティレベルであると判定する。ＣＰＵ２１はテキストボックス４１に隠蔽処理画像を設定せず、次のオブジェクトＩＤ「００２」を特定する。
【００６３】
ＣＰＵ２１は特定した基本ページ内のオブジェクトＩＤ「００２」に対応するテキストボックス４２を特定する。ＣＰＵ２１は実施の形態１と同様の処理を行った後、テキストボックス４２のセキュリティレベルがレベル３であるため、テキストボックス４１のセキュリティレベルが所定の第１セキュリティレベルであると判定する。ＣＰＵ２１はテキストボックス４２に隠蔽処理画像を設定せず、次のオブジェクトＩＤ「００３」を特定する。
【００６４】
ＣＰＵ２１は特定した基本ページ内のオブジェクトＩＤ「００３」に対応するテキストボックス４３を特定する。ＣＰＵ２１は実施の形態１と同様の処理を行った後、テキストボックス４３のセキュリティレベルがレベル２であるため、テキストボックス４１のセキュリティレベルが所定の第１セキュリティレベルでないと判定する。ＣＰＵ２１は区分Ｂが所定の第２区分でないと判定する。ＣＰＵ２１はテキストボックス４３のセキュリティレベルが所定の第２セキュリティレベルであるか否かを判定する。所定の第２セキュリティレベルとは例えば、レベル１である。ＣＰＵ２１はテキストボックス４３のセキュリティレベルがレベル２であるため、テキストボックス４３のセキュリティレベルが所定の第２セキュリティレベルでないと判定する。ＣＰＵ２１は実施の形態１と同様の動作を行った後、テキストボックス４３を覆うように隠蔽処理画像４３１を設定し、次のオブジェクトＩＤ「００４」を特定する。
【００６５】
ＣＰＵ２１は特定した基本ページ内のオブジェクトＩＤ「００４」に対応するダウンロードリンク４４を特定する。ＣＰＵ２１は実施の形態１と同様の処理を行った後、ダウンロードリンク４４のセキュリティレベルがレベル１であるため、テキストボックス４１のセキュリティレベルが所定の第１セキュリティレベルでないと判定する。ＣＰＵ２１は区分Ｂが所定の第２区分でないと判定する。ＣＰＵ２１はダウンロードリンク４４のセキュリティレベルがレベル１であるため、テキストボックス４３のセキュリティレベルが所定の第２セキュリティレベルであると判定する。ＣＰＵ２１は基本ページのダウンロードリンク４４を覆うように隠蔽処理画像４４１を設定する。また、ダウンロードリンク４４がリンクされたドキュメント４５に対して隠蔽処理を行う。以下、実施の形態１と同様の動作であり、簡潔のため記載を省略する。
【００６６】
図１７は本実施形態における表示処理の処理手順を示したフローチャートである。ステップＳ１０〜Ｓ４２の処理は上述の実施の形態２に係る情報処理システムと同様であるので、簡潔のため説明を省略する。ＣＰＵ２１はステップＳ２４の処理を終了した後、オブジェクトのセキュリティレベルが所定の第１セキュリティレベルであるか否かを判定する（ステップＳ５１）。所定の第１セキュリティレベルとは例えば、レベル３である。ＣＰＵ２１はオブジェクトのセキュリティレベルが所定の第１セキュリティレベルであると判定した場合（ステップＳ５１：ＹＥＳ）、処理をステップＳ２９に移す。ＣＰＵ２１はオブジェクトのセキュリティレベルが所定の第１セキュリティレベルでないと判定した場合（ステップＳ５１：ＮＯ）、処理をステップＳ２５に移す。
【００６７】
ＣＰＵ２１はステップＳ４２がＮＯであった場合、オブジェクトのセキュリティレベルが所定の第２セキュリティレベルであるか否かを判定する（ステップＳ５２）。所定の第２セキュリティレベルとは例えば、レベル１である。ＣＰＵ２１はオブジェクトのセキュリティレベルが所定の第２セキュリティレベルであると判定した場合（ステップＳ５２：ＹＥＳ）、処理をステップＳ２８に移す。ＣＰＵ２１はオブジェクトのセキュリティレベルが所定の第２セキュリティレベルでないと判定した場合（ステップＳ５２：ＮＯ）、処理をステップＳ２６に移す。
【００６８】
一側面によれば、ＣＰＵ２１はセキュリティレベルに基づいて基本ページに隠蔽処理をするため、オブジェクトのセキュリティレベルに応じて情報を隠蔽できる。
【００６９】
実施の形態４
実施の形態４はユーザＩＤに基づいてユーザを分類するグループとオブジェクトに対応するグループとが一致しない場合、オブジェクトに隠蔽処理を行う実施の形態に関する。すなわち、ユーザＩＤに基づいてユーザを分類するグループとは端末装置１に係るユーザを分類するグループである。以下、特に説明する構成、作用以外の構成及び作用は実施の形態３と同等であり、簡潔のため記載を省略する。図１８はページ情報ＤＢ２２１に格納されているデータの一例を示す図である。ページ情報ＤＢ２２１はさらにグループ列を備える。グループ列にはユーザＩＤを分類するグループが記憶される。グループ列の情報は予めサーバ２の使用者により入力部２４で入力され、ＣＰＵ２１は入力された情報をページ情報ＤＢ２２１に記憶している。
【００７０】
図１９はユーザ情報ＤＢ２２２に格納されているデータの一例を示す図である。ユーザ情報ＤＢ２２２はさらにグループ列を備える。グループ列にはグループが記憶される。グループ列の情報は予めサーバ２の使用者により入力部２４で入力され、ＣＰＵ２１は入力された情報をユーザ情報ＤＢ２２２に記憶している。
【００７１】
本実施形態におけるページ４は実施の形態３と同様であり、簡潔のため記載を省略する。以下、ページ４の生成方法を説明する。ＣＰＵ２１は特定した基本ページ内のオブジェクトＩＤ「００１」に対応するテキストボックス４１を特定する。ＣＰＵ２１はページ情報ＤＢ２２１及びユーザ情報ＤＢ２２２を参照する。ＣＰＵ２１はユーザＩＤ「０００１」に対応づけられたグループＡとオブジェクトＩＤ「００１」に対応づけられたグループＡとが一致すると判定する。ＣＰＵ２１は実施の形態３と同様の処理をした後、テキストボックス４１に隠蔽処理画像を設定せず、次のオブジェクトＩＤ「００２」を特定する。
【００７２】
ＣＰＵ２１は特定した基本ページ内のオブジェクトＩＤ「００２」に対応するテキストボックス４２を特定する。ＣＰＵ２１はユーザＩＤ「０００１」に対応づけられたグループＡとオブジェクトＩＤ「００２」に対応づけられたグループＡとが一致すると判定する。ＣＰＵ２１は実施の形態３と同様の処理をした後、テキストボックス４２に隠蔽処理画像を設定せず、次のオブジェクトＩＤ「００３」を特定する。
【００７３】
ＣＰＵ２１は特定した基本ページ内のオブジェクトＩＤ「００３」に対応するテキストボックス４３を特定する。ＣＰＵ２１はユーザＩＤ「０００１」に対応づけられたグループＡとオブジェクトＩＤ「００３」に対応づけられたグループＡとが一致すると判定する。ＣＰＵ２１は実施の形態３と同様の処理をした後、テキストボックス４３を覆うように隠蔽処理画像４３１を設定し、次のオブジェクトＩＤ「００４」を特定する。
【００７４】
ＣＰＵ２１は特定した基本ページ内のオブジェクトＩＤ「００４」に対応するダウンロードリンク４４を特定する。ＣＰＵ２１はユーザＩＤ「０００１」に対応づけられたグループＡとオブジェクトＩＤ「００４」に対応づけられたグループＢとが一致しないと判定する。ＣＰＵ２１は実施の形態３と同様の処理をした後、基本ページのダウンロードリンク４４を覆うように隠蔽処理画像４４１を設定する。また、ダウンロードリンク４４がリンクされたドキュメント４５に対して隠蔽処理を行う。
【００７５】
図２０は本実施形態における表示処理の処理手順を示したフローチャートである。ステップＳ１０〜Ｓ４２の処理は上述の実施の形態３に係る情報処理システムと同様であるので、簡潔のため説明を省略する。ＣＰＵ２１はステップＳ２４の処理を終了した後、ページ情報ＤＢ２２１及びユーザ情報ＤＢ２２２を参照し、ユーザＩＤに対応づけられたグループとオブジェクトＩＤに対応づけられたグループとが一致するか否かを判定する（ステップＳ６１）。ＣＰＵ２１はグループが一致すると判定した場合（ステップＳ６１：ＹＥＳ）、処理をステップＳ２５に移す。ＣＰＵ２１はグループが一致しないと判定した場合（ステップＳ６１：ＮＯ）、処理をステップＳ２８に移す。
【００７６】
一側面によれば、ＣＰＵ２１はグループに基づいて基本ページに隠蔽処理画像を設定するため、例えば部署毎に情報を隠蔽することができる。
【００７７】
実施の形態５
以下本発明の実施の形態５をその実施の形態を示す図面に基づいて詳述する。図２１はサーバ２のハードウェア群を示すブロック図である。以下、特に説明する構成、作用以外の構成及び作用は実施の形態１と同等であり、簡潔のため記載を省略する。図２１に示すサーバ２は、上述した各種ソフトウェア処理を実行するプログラムを、可搬型記録媒体２７Ａ又は半導体メモリ２７Ｂから読み取り、あるいは、通信網Ｎを介して他のサーバ（図示せず）からダウンロードする。当該プログラムは、プログラム２２Ｐとしてインストールされ、記憶部２２にロードして実行される。これより上述したサーバ２として機能する。
【００７８】
サーバ２を動作させるためのプログラムは、ディスクドライブ等の読み取り部２７にＣＤ−ＲＯＭ、ＤＶＤ（Digital Versatile Disc）ディスク、メモリーカード、又はＵＳＢ（Universal Serial Bus）メモリ等の可搬型記録媒体２７Ａを読み取らせて記憶部２２に記憶してもよい。また当該プログラムを記憶したフラッシュメモリ等の半導体メモリ２７Ｂをサーバ２内に実装しても良い。通信部２６は、例えば無線ＬＡＮカード又は携帯電話用通信モジュール等であり、通信網Ｎを介して他のサーバに接続されている。当該プログラムは、通信部２６によりインターネット等の通信網Ｎを介して接続される他のサーバ（図示せず）からダウンロードすることも可能である。以下にその内容を説明する。
【００７９】
図２２はサーバ２の機能ブロック図である。ＣＰＵ２１がプログラム２２Ｐを実行することにより、サーバ２は以下のように動作する。特定部２１Ａは、記憶部２２に記憶された複数の表示要素を含むページデータについて、端末装置１からのアクセス要求を受け付けると、前記端末装置１に設定されたアドレス又はドメインに基づいて、前記端末装置１が所在する地域を示す地域情報を特定する。送信部２１Ｂは特定した地域に応じて、前記複数の表示要素それぞれについて、表示又は表示内容の隠蔽処理のいずれかが設定されたページデータを前記端末装置１に送信する。
【００８０】
以上の実施の形態に関し、更に以下の付記を開示する。
【００８１】
（付記１）
情報処理装置に、
記憶部に記憶され、複数の表示要素を含むページデータについて、端末装置からのアクセス要求を受け付けると、前記端末装置に設定されたアドレス又はドメインに基づいて、前記端末装置が所在する地域を示す地域情報を特定し、
特定した地域情報に応じて、前記複数の表示要素それぞれについて、表示又は表示内容の隠蔽処理のいずれかが設定されたページデータを前記端末装置に送信する
処理を実行させるプログラム。
（付記２）
複数の地域を区分した区分に基づいて前記複数の表示要素それぞれについて、表示又は表示内容に隠蔽処理が設定されたページデータを前記端末装置に送信する
処理を実行させる付記１に記載のプログラム。
（付記３）
前記区分は、前記地域への輸出制限に応じて区分されている
付記２に記載のプログラム。
（付記４）
前記表示要素の内容に応じて前記表示要素を区分した内容区分に基づいて前記複数の表示要素それぞれについて、表示又は表示内容に隠蔽処理が設定されたページデータを前記端末装置に送信する
処理を実行させる付記１から付記３のいずれか１つに記載のプログラム。
（付記５）
前記端末装置が所在する地域と原画面を表示するアプリケーションの実行を許可した地域を示す許可地域とが一致するか否かを判定し、
前記端末装置が所在する地域と前記原画面を表示するアプリケーションの実行を許可した地域を示す許可地域とが一致しないと判定した場合、前記複数の表示要素それぞれについて、表示又は表示内容に隠蔽処理が設定されたページデータを前記端末装置に送信する
処理を実行させる付記１から付記４のいずれか１つに記載のプログラム。
（付記６）
前記表示要素はグループに対応づけられており、
前記端末装置に係るユーザを分類するグループ及び前記表示要素に対応づけられたグループが一致するか否かを判定し、
前記ユーザを分類するグループ及び前記表示要素に対応づけられたグループが一致しないと判定した場合、前記複数の表示要素それぞれについて、表示又は表示内容に隠蔽処理が設定されたページデータを前記端末装置に送信する
処理を実行させる付記１から付記５のいずれか１つに記載のプログラム。
（付記７）
前記端末装置が所在する地域が所定の地域であるか否かを判定し、
前記端末装置が所在する地域が所定の地域でないと判定した場合、前記表示要素の公開の可否を示す公開可否情報に基づいて前記複数の表示要素それぞれについて、表示又は表示内容の隠蔽処理のいずれかが設定されたページデータを前記端末装置に送信する
処理を実行させる付記１から付記６のいずれか１つに記載のプログラム。
（付記８）
記憶部に記憶された複数の表示要素を含むページデータについて、端末装置からのアクセス要求を受け付けると、前記端末装置に設定されたアドレス又はドメインに基づいて、前記端末装置が所在する地域を示す地域情報を特定する特定部と、
特定した地域情報に応じて、前記複数の表示要素それぞれについて、表示又は表示内容の隠蔽処理のいずれかが設定されたページデータを前記端末装置に送信する送信部と
を備える情報処理装置。
（付記９）
記憶部に記憶された複数の表示要素を含むページデータについて、端末装置からのアクセス要求を受け付けると、前記端末装置に設定されたアドレス又はドメインに基づいて、前記端末装置が所在する地域を示す地域情報を特定し、
特定した地域情報に応じて、前記複数の表示要素それぞれについて、表示又は表示内容の隠蔽処理のいずれかが設定されたページデータを前記端末装置に送信する
情報処理方法。
【００８２】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。また、各実施の形態は、処理内容を矛盾させない範囲で適宜組み合わせることが可能である。
【符号の説明】
【００８３】
１  端末装置
２  サーバ（情報処理装置）
２１Ａ  特定部
２１Ｂ  送信部
２２  記憶部
２２Ｐ  プログラム
【図１】
0006561633.tif 000002
【図２】
0006561633.tif 000003
【図３】
0006561633.tif 000004
【図４】
0006561633.tif 000005
【図５】
0006561633.tif 000006
【図６】
0006561633.tif 000007
【図７】
0006561633.tif 000008
【図８】
0006561633.tif 000009
【図９】
0006561633.tif 000010
【図１０】
0006561633.tif 000011
【図１１】
0006561633.tif 000012
【図１２】
0006561633.tif 000013
【図１３】
0006561633.tif 000014
【図１４】
0006561633.tif 000015
【図１５】
0006561633.tif 000016
【図１６】
0006561633.tif 000017
【図１７】
0006561633.tif 000018
【図１８】
0006561633.tif 000019
【図１９】
0006561633.tif 000020
【図２０】
0006561633.tif 000021
【図２１】
0006561633.tif 000022
【図２２】
0006561633.tif 000023